(57)【要約】機能表示項目を強調表示する方法に関し、方法は、強調表示のために複数の機能表示項目を選択するステップ（２０３）と、選択された複数の機能表示項目の中の１つの機能表示項目を強調表示するステップ（２０５）と、同時に複数の方向の中の少なくとも１つにおいて選択された複数の機能表示項目の中の少なくとも１つの他の機能表示項目を強調表示するステップ（２０７）とを有する。
2013508847.tif 000002
【特許請求の範囲】
【請求項１】
機能表示項目を強調表示する方法であって：
強調表示のために複数の機能表示項目を選択するステップ；
前記選択された複数の機能表示項目の中の１つの機能表示項目を強調表示するステップ；
同時に複数の方向の中の少なくとも１つにおいて前記選択された複数の機能表示項目の中の少なくとも１つの他の機能表示項目を強調表示するステップ
を有する方法。
【請求項２】
同時に前記選択された複数の機能表示項目の中の少なくとも１つの他の機能表示項目を強調表示する前記ステップは：
同時に、前記選択された複数の機能表示項目の中の前記１つの機能表示項目の強調表示よりも目立たずに前記選択された複数の機能表示項目の中の少なくとも１つの他の機能表示項目を強調表示するステップ
を含む、請求項１に記載の方法。
【請求項３】
複数の方向のいずれか１つにおいて前記選択された複数の機能表示項目の中の１つの他の機能表示項目を強調表示する前記ステップは：
前記複数の方向の夫々において前記選択された複数の機能表示項目の中の少なくとも１つの他の機能表示項目を強調表示するステップ
を含む、請求項１に記載の方法。
【請求項４】
複数の方向のいずれか１つにおいて前記選択された複数の機能表示項目の中の１つの他の機能表示項目を強調表示する前記ステップは：
前記複数の方向の夫々において前記選択された複数の機能表示項目の中の１つの他の機能表示項目を強調表示するステップ
を含む、請求項３に記載の方法。
【請求項５】
前記少なくとも１つの他の強調表示される機能表示項目の方向においてインジケータを表示するステップ
をさらに有する請求項１に記載の方法。
【請求項６】
前記少なくとも１つの他の強調表示される機能表示項目の方向においてインジケータを表示するステップは：
前記選択された複数の機能表示項目の中の前記１つの強調表示される機能表示項目から前記少なくとも１つの他の強調表示される機能表示項目への方向を示すステップ
を含む、請求項５に記載の方法。
【請求項７】
前記選択された複数の機能表示項目の中の前記１つの強調表示される機能表示項目から前記少なくとも１つの他の強調表示される機能表示項目への方向を示す前記ステップは、カーソルキーの方向を示すことを含む、
請求項６に記載の方法。
【請求項８】
請求項１乃至７のうちいずれか一項に記載の方法を実行するための複数のプログラムコード部を有するコンピュータプログラム。
【請求項９】
機能表示項目を強調表示する装置であって：
強調表示のために複数の機能表示項目を選択するセレクタ；
前記選択された複数の機能表示項目の中の１つの機能表示項目を強調表示する手段；
同時に複数の方向の中の少なくとも１つにおいて前記選択された複数の機能表示項目の中の少なくとも１つの他の機能表示項目を強調表示する手段
を有する装置。
【発明の詳細な説明】
【技術分野】
【０００１】
本発明は、機能表示項目を強調表示するための方法及び装置に関する。特に、しかし排他的ではなく、本発明は、画面上のハイパーリンクを強調表示することに関する。
【背景技術】
【０００２】
多くの技術は、特定の項目が選択されて、その関連する機能が実行され得るように、複数の機能表示項目の間の容易なナビゲーションを可能にするために考え出されてきた。例えば、インターネット検索において、技術は、ユーザが容易にインターネットをナビゲートすることができるように、ハイパーリンクを強調表示するために考え出されてきた。
【０００３】
１つの方法において、マウス又はカーソルキーは、（ジャンピング）強調表示を移動するために使用され得る。このようにして、現在の（アクティブな）機能表示項目（例えば、ハイパーリンク）は強調表示される。現在の機能表示項目がハイパーリンクであり、あるマウスボタン又は確認キーが押下される場合、このハイパーリンクに対応する新しいウェブページが読み出される。
【０００４】
ユーザがいずれかの方向において表示をスクロールダウン又は横断するようマウス又はカーソルキーを動かすと、次の項目が強調表示される。これは、画面にわたる強調表示ジャンピングを多く伴うことがあり、ユーザが現在強調表示されている項目を辿って再びそれを見つけることを困難にしうる。幾つかのシステムでは、これは、次の項目が現在強調表示されている項目に対して画面上の如何なる場所にも空間的に位置付けられうるので、ランダムに思われうる。
【０００５】
米国特許出願公開第２００１／００１７６３４号明細書（特許文献１）は、非機能表示項目が強調表示されることを可能にすること、すなわち、フォーカスがハイパーリンクの間にあることを可能にすることによって、この問題を解決しようとしている。これは、どの項目が次に強調表示されるであろうかという若干の予測可能性を提供し、従って、ユーザが画面上でそれを辿ることを助ける。しかし、これは、所望の機能表示項目を強調するためにユーザによって必要とされるインタラクション量を増やす。
【先行技術文献】
【特許文献】
【０００６】
【特許文献１】米国特許出願公開第２００１／００１７６３４号明細書
【発明の概要】
【発明が解決しようとする課題】
【０００７】
従って、ユーザによって必要とされるインタラクション量を制限しながら項目間の強調表示の移動における予測可能性を改善することが望まれる。
【課題を解決するための手段】
【０００８】
これは、本発明の第１の態様に従って、機能表示項目を強調表示する方法であって、強調表示のために複数の機能表示項目を選択するステップと、前記選択された複数の機能表示項目の中の１つの機能表示項目を強調表示するステップと、同時に複数の方向の中の少なくとも１つにおいて前記選択された複数の機能表示項目の中の少なくとも１つの他の機能表示項目を強調表示するステップとを有する方法によって達成される。
【０００９】
また、これは、第２の態様に従って、機能表示項目を強調表示する装置であって、強調表示のために複数の機能表示項目を選択するセレクタと、前記選択された複数の機能表示項目の中の１つの機能表示項目を強調表示する手段と、同時に複数の方向の中の少なくとも１つにおいて前記選択された複数の機能表示項目の中の少なくとも１つの他の機能表示項目を強調表示する手段とを有する装置によって達成される。
【００１０】
このようにして、どのように現在の強調表示が画面を移動するのかに関する明示をユーザに提供しながら、次の機能表示項目も強調表示され、従って、ユーザによって必要とされるインタラクション量を増やすことなしに現在の強調表示の移動の予測可能性を改善する。
【００１１】
実施形態において、同時に前記選択された複数の機能表示項目の中の少なくとも１つの他の機能表示項目を強調表示する前記ステップは、同時に、前記選択された複数の機能表示項目の中の前記１つの機能表示項目の強調表示よりも目立たずに前記選択された複数の機能表示項目の中の少なくとも１つの他の機能表示項目を強調表示するステップを含む。
【００１２】
このようにして、強調表示される機能表示項目の中のどれが現在の、従ってアクティブな強調表示された項目であるのかは、ユーザにとって明らかである。
【００１３】
複数の方向のいずれか１つにおいて前記選択された複数の機能表示項目の中の１つの他の機能表示項目を強調表示する前記ステップは、前記複数の方向の夫々において前記選択された複数の機能表示項目の中の少なくとも１つの他の機能表示項目（例えば、他の１つの機能表示項目）を強調表示するステップを含んでよい。例えば、これは、カーソルキー又は他のコンパス方位によって示される夫々の方向にあってよい。その場合に、ユーザは、どのカーソルキー又は画面上のカーソルの移動のどの方向がどの次の機能表示項目を強調表示するのかに関する明示を有する。例えば、カーソルキーの４つ全ての方向が使用される場合に、従来１つであるところ、５つの項目の強調表示が見える。よって、ユーザは、カーソルキー等を用いる前でさえ、強調表示のために選択される次の項目がどこに位置するのかを承知している。
【００１４】
前記選択された複数の機能表示項目の他の１つの機能表示項目の視覚表示を改善するよう、前記少なくとも１つの他の強調表示される機能表示項目の方向においてインジケータが表示され、また、該インジケータは、前記選択された複数の機能表示項目の中の前記１つの強調表示される機能表示項目から前記少なくとも１つの他の強調表示される機能表示項目への方向を示してよい。例えば、現在アクティブな機能表示項目から次の機能表示項目への矢印（直線）が目立たずに加えられてよい。さらに、強調表示は彩色されてよく、リモートコントロールのカラーキーがその色の次の機能表示項目をアクティブにするために使用されてよい。
【図面の簡単な説明】
【００１５】
【図１】本発明の実施形態に従う装置の簡略図である。
【図２】本発明の実施形態に従う方法ステップのフローチャートである。
【図３】本発明の実施形態の典型的な表示画面である。
【発明を実施するための形態】
【００１６】
本発明のより完全な理解のために、ここで、添付の図面に関連して考えられる以下の記載を参照する。
【００１７】
図１を参照して、本発明の実施形態に従う装置１００は、記憶装置１０３へ接続される入力端子１０１を有する。記憶手段１０３は装置１００の外部であるようここでは表されているが、代替の実施形態では、記憶手段は装置１００と一体であってよい。記憶手段１０３は、装置１００へ接続されるコンピュータシステムのメモリ装置（例えばＲＯＭ／ＲＡＭドライブ、ＨＤＤ、ＣＤ、ＤＶＤ、ブルーレイ）、又は遠隔のサーバであってよい。それは、有線若しくは無線接続を介したアクセス、及び／又はインターネット等の広いネットワークを介したアクセスをなされてよい。
【００１８】
入力端子１０１は、セレクタ１０５へ接続されている。セレクタ１０５の出力は、ドライバ１０７の入力へ接続されている。ドライバ１０７の出力は、装置１００の出力端子１０９へ接続されている。出力端子１０９は、ディスプレイ１１１へ接続されている。ディスプレイ１１１は装置１００の外部であるようここでは表されているが、代替の実施形態では、ディスプレイ１１１は装置１００と一体であってよく、代替の実施形態では、ディスプレイ１１１はコンピュータモニタ画面、テレビ受像機、映写幕等であってよい。
【００１９】
装置１００の動作については、図２及び図３を参照してより詳細に記載される。
【００２０】
ステップ２０１で、複数の項目が、表示のために記憶装置１０３から読み出される。これは、例えばインターネット上の検索クエリの結果としてであってよく、複数の項目は、リスト又は複数のリストの形で、読み出されて装置１００の入力端子１０１で供給される。項目には、選択されるとそれに関連付けられた動作（例えば、ウェブサイトへのハイパーリンク）を有する機能表示項目がある。それらの読み出された項目は、ステップ２０３で、セレクタ１０５によって強調表示のために選択される。項目は、それらと関連付けられた機能の性質に基づいて選択されてよい。例えば、インターネット検索に関し、選択される項目はハイパーリンクであってよい。機能表示項目は、特定の順序において強調表示されてよい。これは、どれが空間的に現在アクティブな強調表示項目の次、すなわち、リストフォーマットにおいて縦に位置する次の項目であるのかであるから、強調表示のために選択される次の項目に基づいてよい。選択される項目の数は様々であってよい。図３において示される特定の例において、４つの機能表示項目３０１、３０３、３０５及び３０７は、画面３００内で強調表示のために選択される。これは、所定の順序に従う次の機能表示項目、又はユーザがキーボード若しくはリモートコントロール装置上の上下左右の矢印キーのいずれかを押下するときに強調表示がジャンプした空間的に次の機能表示項目のいずれかである次の機能表示項目のＨＴＭＬ  ＤＯＭ（ドキュメント・オブジェクト・モデル）の場所（Ｘ、Ｙ）及びサイズ（幅、高さ）を要求することによって達成され得る。
【００２１】
選択された項目の中の１つは現在アクティブな機能表示項目３０１であり、ステップ２０５で、ディスプレイ１１１上でドライバ１１７によってより目立つように強調表示される。これは、例えば、他の強調表示される機能項目３０３、３０５及び３０７のオーバレイに対してより目立つオーバレイ又は異なる色のオーバレイの使用により達成され得る。代替的に、強調表示の色は、リモートコントロール装置の色付きのボタンに対応してよい。
【００２２】
実施形態において、（カーソルキーの４つ全ての方向に関する）４つの更なる機能表示項目が、ステップ２０７で、ディスプレイ１１１上でドライバ１１７によって強調表示されてよい。これは、さらに、方向インジケータ３０９（例えば、アクティブな機能表示項目３０１から次の機能表示項目３０３、３０５、３０７への矢印）の使用によって増強されてよい。左方向に関する第４の項目は、ここでは、画面外にあるために表示されない。
【００２３】
本発明の実施形態は添付の図面において図示され、上記の詳細な説明において記載されてきたが、本発明は開示される実施形態に限られず、特許請求の範囲に提示される本発明の技術的範囲から逸脱することなしに多くの変形が可能であることは明らかである。
【００２４】
「手段（means）」は、当業者には明らかなように、隔絶して又は他の部品と共同して、単独で又は他の機能とともに、動作において再現し又は特定の機能を再現するよう設計される如何なるハードウェア（例えば、別個の若しくは集積された回路又は電子部品）又はソフトウェア（例えば、プログラム真又はプログラムの部分）含むよう意図されている。本発明は、複数の個別部品を有するハードウェアによって、及び適切にプログラムされたコンピュータによって、実施され得る。複数の手段を挙げる装置クレームにおいて、それらの手段の幾つかはハードウェアの同一の物品によって具現されてよい。「コンピュータプログラムプロダクト」は、コンピュータ読取可能な媒体（例えば、フロッピー（登録商標）ディスク）に記憶され、ネットワーク（例えば、インターネット）を介してダウンロード可能であり、又はその他方法において売買される如何なるソフトウェア製品も意味すると理解されるべきである。
【図１】
2013508847.tif 000003
【図２】
2013508847.tif 000004
【図３】
2013508847.tif 000005
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
機能表示項目を強調表示する方法であって：
強調表示のために複数の機能表示項目を選択するステップ；
前記選択された複数の機能表示項目の中の１つの機能表示項目を強調表示するステップ；
同時に複数の方向の中の少なくとも１つにおいて前記選択された複数の機能表示項目の中の少なくとも１つの他の機能表示項目を強調表示するステップ；
前記少なくとも１つの他の強調表示される機能表示項目の方向においてインジケータを表示するステップ；
前記選択された複数の機能表示項目の中の前記１つの強調表示される機能表示項目から前記少なくとも１つの他の強調表示される機能表示項目への方向を示すステップ
を有する方法。
【請求項２】
前記方向は、前記選択された複数の機能表示項目の中の前記１つの強調表示される機能表示項目から前記少なくとも１つの他の強調表示される機能表示項目への矢印によって示される、
請求項１に記載の方法。
【請求項３】
前記選択された複数の機能表示項目の中の前記１つの強調表示される機能表示項目から前記少なくとも１つの他の強調表示される機能表示項目への方向を示す前記ステップは、カーソルキーの方向を示すことを含む、
請求項１に記載の方法。
【請求項４】
同時に前記選択された複数の機能表示項目の中の少なくとも１つの他の機能表示項目を強調表示する前記ステップは：
同時に、前記選択された複数の機能表示項目の中の前記１つの機能表示項目の強調表示よりも目立たずに前記選択された複数の機能表示項目の中の少なくとも１つの他の機能表示項目を強調表示するステップ
を含む、請求項１に記載の方法。
【請求項５】
複数の方向のいずれか１つにおいて前記選択された複数の機能表示項目の中の１つの他の機能表示項目を強調表示する前記ステップは：
前記複数の方向の夫々において前記選択された複数の機能表示項目の中の少なくとも１つの他の機能表示項目を強調表示するステップ
を含む、請求項１に記載の方法。
【請求項６】
複数の方向のいずれか１つにおいて前記選択された複数の機能表示項目の中の１つの他の機能表示項目を強調表示する前記ステップは：
前記複数の方向の夫々において前記選択された複数の機能表示項目の中の１つの他の機能表示項目を強調表示するステップ
を含む、請求項５に記載の方法。
【請求項７】
請求項１乃至６のうちいずれか一項に記載の方法を実行するための複数のプログラムコード部を有するコンピュータプログラム。
【請求項８】
機能表示項目を強調表示する装置であって：
強調表示のために複数の機能表示項目を選択するセレクタ；
前記選択された複数の機能表示項目の中の１つの機能表示項目を強調表示する手段；
同時に複数の方向の中の少なくとも１つにおいて前記選択された複数の機能表示項目の中の少なくとも１つの他の機能表示項目を強調表示する手段；
前記少なくとも１つの他の強調表示される機能表示項目の方向においてインジケータを表示して、前記選択された複数の機能表示項目の中の前記１つの強調表示される機能表示項目から前記少なくとも１つの他の強調表示される機能表示項目への方向を示す手段
を有する装置。
【手続補正２】
【補正対象書類名】明細書
【補正対象項目名】０００５
【補正方法】変更
【補正の内容】
【０００５】
米国特許出願公開第２００１／００１７６３４号明細書（特許文献１）は、非機能表示項目が強調表示されることを可能にすること、すなわち、フォーカスがハイパーリンクの間にあることを可能にすることによって、この問題を解決しようとしている。これは、どの項目が次に強調表示されるであろうかという若干の予測可能性を提供し、従って、ユーザが画面上でそれを辿ることを助ける。しかし、これは、所望の機能表示項目を強調するためにユーザによって必要とされるインタラクション量を増やす。
米国特許第６６１４４５７号明細書（特許文献２）は、ユーザがリモートコントロールユニット上の４つの方向キーの中の１つを押下した場合にフォーカスされるＧＵＩコンポーネントを夫々示すガイドマークを表示するグラフィカル・ユーザ・インターフェース（ＧＵＩ）を開示している。ＧＵＩコンポーネントの端に置かれた矢印によって表されるＧＵＩマークが示され、これは、現在フォーカスを有するＧＵＩコンポーネントとの幾何学的な関係を示さない。
【手続補正３】
【補正対象書類名】明細書
【補正対象項目名】０００６
【補正方法】変更
【補正の内容】
【０００６】
【特許文献１】米国特許出願公開第２００１／００１７６３４号明細書
【特許文献２】米国特許第６６１４４５７号明細書
【国際調査報告】
2013508847.tif 000006
2013508847.tif 000007